(57)【要約】  本発明は、収容体（２１）と、前記収容体とは別に与えられ、実質的にＬ字形またはＵ字形断面を有する環状スリーブとして与えられ、前記収容体の周囲面（３９）を覆う包囲外皮（４０）と前記収容体の上部側を覆う環状の包囲ディスクと前記収容体の収容開口の内部周縁に面する包囲境界とを有する包囲体（２２）と、を備えて円盤状のろうそく、特にティーキャンドルを収容するためのろうそく立て（２０）に関し、前記収容体の底部面は、前記収容体の環状の積層基部から突出するセンタリング延長部を備え、前記センタリング延長部の外部センタリングの直径は、前記包囲境界の内部センタリングの直径に対応し、前記包囲体の前記包囲ディスクは、前記積層基部の断面プロファイルに対応する断面プロファイルを有する。【選択図】図１
2011507204.tif 000002
【特許請求の範囲】
【請求項１】
収容体２１、５３と、前記収容体とは別個で設けられ、実質的にＬ字形またはＵ字形断面７５を有する環状スリーブとして形成され、前記収容体の周囲面３９、７０を覆う包囲外皮４０、６８と、前記収容体の上部側を覆う環状の包囲ディスク４６と、前記収容体の収容開口４１、６０の内部周縁４５、５９に隣接した包囲境界４２、６６とを有する包囲体２２、５４と、を備え、円盤状のろうそく、特にティーライト５１を収容するためのろうそく立て２０、５２において、
前記収容体が、その底部面に、前記収容体の環状の積層基部２７から突出するセンタリング延長部２８を有し、前記センタリング延長部２８の外部センタリング直径ｄが、前記包囲境界の内部センタリング直径Ｄに対応し、
前記包囲体の包囲ディスクが、前記積層基部の断面プロファイルに対応する断面プロファイルを有するろうそく立て。
【請求項２】
前記包囲体２２、５４の包囲ディスク４６が、前記積層基部２７の凹断面プロファイルに対応する凸断面プロファイルを有することを特徴とする請求項１に記載のろうそく立て。
【請求項３】
前記包囲体２２、５４が板金ブランクから製造され、前記収容体２１、５３がプラスチック材料から製造されることを特徴とする請求項１または２に記載のろうそく立て。
【請求項４】
前記収容体２１、５３が、中央収容チェンバ２３、６１、及び前記収容チェンバに同心で配列され、外部外皮壁３２及び内部外皮壁３１を有する環状チェンバ２４を有し、前記環状チェンバ２４がＵ字形断面であり、下部軸方向端部が前記積層基部２７によって限定され、上部軸方向端部に環状のアクセス開口を有することを特徴とする請求項１乃至３のいずれか一項に記載のろうそく立て。
【請求項５】
前記環状チェンバ２４が、環状バラストデバイス２５、５５を収容するように機能することを特徴とする請求項４に記載のろうそく立て。
【請求項６】
前記包囲体２２、５４が前記収容体２１、５３上に配列され、前記収容体が前記積層基部２７の周囲周縁７３を以って、前記包囲境界４２、６６の底部エッジ４８、６７を超えて突出することを特徴とする請求項１乃至５のいずれか一項に記載のろうそく立て。
【請求項７】
前記包囲体２２、５４が、前記包囲外皮４０、６８の底部エッジ４８、６７上に配列された内部配置締付けエッジ４９、６９を有し、前記締付けエッジが、前記収容体２１、５３の周囲面３９、７０上に配列された対応締付けデバイス５０、７１で、前記包囲体を前記収容体に締め付けるのを可能にすることを特徴とする請求項６に記載のろうそく立て。
【請求項８】
前記包囲体２２が、前記包囲境界４２の底部エッジ４３を以って、前記収容体２１の収容開口４１の内部周縁４５上の環状肩部４４上に載置されることを特徴とする請求項１乃至７のいずれか一項に記載のろうそく立て。
【請求項９】
前記収容体５３が、前記収容開口６０内に挿入可能なビーカーインサート５６を有することを特徴とする請求項１乃至７のいずれか一項に記載のろうそく立て。
【請求項１０】
前記ビーカーインサート５６が、前記収容開口６０の内部周縁５９上の環状肩部５８上に置かれるフランジ形ビーカーの周縁５７を有することを特徴とする請求項９に記載のろうそく立て。
【請求項１１】
前記包囲体５４が、包囲境界６６の底部エッジ６５を以って前記ビーカーの周縁５７上に載置されることを特徴とする請求項１０に記載のろうそく立て。
【請求項１２】
前記ビーカーインサート５６が、板金ブランクから製造されることを特徴とする請求項９乃至１１のいずれか一項に記載のろうそく立て。
【発明の詳細な説明】
【技術分野】
【０００１】
本発明は、収容体と、前記収容体とは別個で設計され、実質的にＬ字形またはＵ字形断面を有する環状スリーブとして設計され、前記収容体の周囲面を覆う包囲外皮と前記収容体の上部側を覆う環状の包囲ディスクと前記収容体の収容開口の内部周縁に隣接した包囲境界とを有する包囲体と、を備えて円盤状のろうそく、特にティーライトを収容するためのろうそく立てに関し、前記収容体の底部面は、前記収容体の環状の積層基部から突出するセンタリング延長部を備え、前記センタリング延長部の外部センタリングの直径は、包囲境界の内部センタリングの直径に対応し、前記包囲体の包囲ディスクは、積層基部の断面プロファイルに対応する断面プロファイルを有する。
【背景技術】
【０００２】
円盤状のろうそく、特にティーライトを収容するのに用いられるろうそく立ては、多数の公知の実施例を有し、ろうそく立て内に収容されたティーライトによって、単に機能的に食べ物または飲料を加熱するために用いられるだけでなく、個別に設計された照明効果を生成するためにますます用いられている。公知のろうそく立ては、一般に、美観効果を達成するために、火のついたティーライトを有するものと推測される。これに対応して、ティーライトまたは火のついたティーライトを有さないろうそく立ては、一般に、その外形的効果に関しては魅力的ではないことから、保管されたままの未使用ろうそく立てとなり、実際に使用するときだけ人目に付く場所に置かれる。
【発明の概要】
【発明が解決しようとする課題】
【０００３】
本発明は、ティーライトがないときも、美観的に魅力的な効果を提供し、特に、人目に付く位置で美的に見える配列を提供する円盤状のろうそく、特にティーライトを収容するためのろうそく立てを提案する要求に基づく。
【０００４】
この要求は、本発明によるろうそく立てが、請求項１の特徴を示すという点で満たされている。
【課題を解決するための手段】
【０００５】
本発明によるろうそく立ては、円盤状のろうそく、特にティーライトを収容体内に挿入可能にする収容開口を有する収容体を備える。収容体は、包囲体を有し、この包囲体は、包囲外皮とは別に包囲ディスク及び包囲境界を形成し、収容体の他の目に見える外部面を覆う。このように、包囲体によって、収容体の材料でできない表面デザインを選択するために、特に包囲体の材料とは別に美観効果に影響するまたはそれを決定するろうそく立ての目に見える表面を設計することが可能になる。
【０００６】
さらに、収容体は、包囲境界または包囲境界によって規定された収容開口の直径に対応して成形された露出したセンタリング延長部を収容体に備えるように設計される。この事実により、本発明によるろうそく立てを、類似して形成されたろうそく立てと組み合わせて積層体を形成することができ、これは、一方では、複数のろうそく立ての端正な整頓された配列を許容し、美観的に良好な方式で、人目につく場所でも、複数のろうそく立てを保管することができるようにする円柱形のグループを、本発明によるろうそく立てから作ることができるようにする。他方では、ろうそく立ての積層性は、複数のろうそく立てを多様な形態で配列することを可能にし、個別に形成された彫刻的な配列が設計できるようにし、このように、使用者の実際の使用用途とは別に、装飾的なアクセサリとして用いるために、ろうそく立ての使用者が、独創的な方式でろうそく立てを配列することができるようにする。収容体とは別に包囲体を実装することがまた、積層されたろうそく立ての組合せの相違した表面デザインまたは相違したカラー効果を生成できるので、使用者の独創性については実際に制限がない。
【０００７】
好適な実施例により、包囲体の包囲ディスクが積層基部の凹断面プロファイルに対応する凸断面プロファイルを有すると、一方では、いかなる光の隙間も無しに、ろうそく立てが互いの上部に積層されるようにすることができる。他方では、包囲体に対して選択された材料とは別個に、包囲ディスクの凸デザインに起因して、ろうそく立てが極めて頑丈に見えるようにする。
【０００８】
さらに、包囲体が板金ブランクから製造され、収容体がプラスチック材料で製造されると特に有利である。この方式で、一方では、ろうそく立ての外部によって決定される美観的な効果とは別個に、収容体のための材料を選択することが可能であり、これは、射出成形プロセスのような成形プロセスを用いて、極めて容易に処理される。さらに、包囲体が板金ブランクから製造されると、深絞りのような量産プロセスでの容易な製造のみならず、包囲体のための材料として板金の選択によって、例えば、プラスチックキャリアでは不適合なために不可能なカラー効果及び高品質に見える表面の製造を提供することができる。
【０００９】
収容体が中央ろうそく収容チェンバと、この収容チェンバに同心で配列され、外部外皮壁及び内部外皮壁を有し、Ｕ字形断面であり、下部軸方向端部で積層基部によって限定され、上部軸方向端部に環状のアクセス開口を有する環状チェンバを有するときは、ろうそく立ては、外部から全ての側面で閉じたように見える表面を有しているものの、それぞれの最小の材料投入で中空の構成要素として製造され得る。さらに、この方式で製造された環状チェンバは、他の追加の要素を配列するために用いられてもよい。
【００１０】
特に好適な場合、収容体のための材料の選択とは別に、それに相応しい高品質の外観を達成可能にするために、比較的高い重量がろうそく立てに与えられるように、好ましくは環状のバラストデバイスを収容するために環状チェンバが用いられる。さらに、環状チェンバは、その美的な外観のみならず、良い香りを生成する機能性を提供することと関連して、ろうそく立てを魅力的にする香り放出の投入物のような他の追加の要素を代替的または追加的に備えてもよい。
【００１１】
包囲体の包囲外皮の底部エッジを越えて積層基部の周囲の周縁と共に収容体が突出するように包囲体が収容体上に配列されると、互いの上部に積層されたろうそく立てが、任意の方式で安定した積層配列を制限することなく、個別のろうそく立て間に美的に見える陰影間隙を生成することが可能である。
【００１２】
極めて簡単であるが、紛失を防止する収容体上への包囲体の組立てを確実にするために、包囲体が、包囲外皮の底部エッジの内部に設けられた締付けエッジを有すれば有利であり、この締付けエッジは、収容体の周囲面上に設けられた対応締付けデバイスと一緒に、包囲体が収容体に締め付けられるようにする。
【００１３】
特に、包囲体を収容体に締め付けるための接触部を形成するために、包囲境界と収容開口の内部周縁上の収容体との間に形成された面が、ろうそく立ての高品質外観を劣化させる間隙を有さないようにするために、包囲体が、包囲境界の底部エッジで、収容体の収容開口の内部周縁上の環状肩部上に載置していれば有利である。
【００１４】
他の好適な実施例において、収容体が収容開口内に挿入可能なビーカーインサートを有するときは、金属で製造されたろうそく立ての全体的に頑丈な実装の印象が、ティーライトを備えていないろうそく立てに対しても生成され、これにより、収容体の収容開口内を自由に眺めることを観察者に許容することができる。
【００１５】
ろうそく立ての収容開口内のビーカーインサートの規定された配列のために、ビーカーインサートが収容開口の内部周縁上の環状の肩部上に置かれるフランジ形ビーカーの周縁を有すれば特に有利である。
【００１６】
収容開口の内部周縁に対して支持されたビーカーの周縁上に包囲体が包囲体境界の底部エッジで置かれるときは、ろうそく立て内のビーカーインサートの紛失防止及び簡単にできる組立または配列が可能になる。
【００１７】
ビーカーインサートの簡単な製造、及びビーカーインサートの表面に関するデザイン可能性の大きさの両方について、ビーカーインサートが板金ブランクから製造されると有利なものと判明した。
【図面の簡単な説明】
【００１８】
以下、図面を参照して、ろうそく立ての好適な実施例について説明する。
図１は、第１実施例によるろうそく立てを示す分解図である。
図２は、図１に示したろうそく立ての収容体を示す断面図である。
図３は、組み立てられた状態の図１のろうそく立てを示す断面図である。
図４は、図３に示したろうそく立ての収容開口の内部周縁の部分領域ＩＶの拡大図である。
図５は、図３のろうそく立ての収容体の周囲周縁の部分領域Ｖの拡大図である。
図６は、他の実施例によるろうそく立てを示す分解図である。
図７は、図６に示したろうそく立ての収容体を示す図である。
図８は、組み立てられた状態の図６のろうそく立てを示す断面図である。
図９は、図８に示したろうそく立ての収容開口の内部周縁の部分領域ＩＸの拡大図である。
図１０は、図８のろうそく立ての収容体の下部周囲周縁の部分流域Ｘの拡大図である。
図１１は、互いの上部に積層されたろうそく立てで形成された積層体の図である。
【発明を実施するための最良の形態】
【００１９】
図１は、例えば、ポリカーボネート（ＰＣ）のようなプラスチック材料で形成された収容体２１と、板金ブランク、特にアルミニウムシートで形成された包囲体２２とを備えたろうそく立て２０を示しており、包囲体２２は、特に、図２に示すように、ティーライト５１（図３）を収容する機能をする中央収容チェンバ２３に同心で、この場合、環状に形成されているバラストデバイス２５（図１）を収容する機能をする環状チェンバ２４を含む。
【００２０】
特に、図１及び図２からわかるように、収容体２１は、その下部面に収容チェンバ２３及び環状チェンバ２４への自由なアクセスを許容するアクセス側面２６に対向する積層基部２７を有するが、この積層基部２７は、中心領域において積層基部２７から下方に延長する環状ウェブ２９を有するセンタリング延長部２８を有する。環状チェンバ２４を限定するセンタリング延長部２８に同心で配列された積層基部２７の領域には、積層基部２７の表面上に凹輪郭を有する環状積層面３０が形成されている。
【００２１】
また、図１及び図２を参照すると、軸方向延長ウェブストリップ３３または３４が、環状チェンバ２４を半径方向に限定する対向する外皮面３１、３２上にあり、環状のバラストデバイス２５が挿入されるとき、突起部がバラストデバイス２５の外皮面３５、３６と加圧接触して変形する。これは、環状チェンバ２４内にその位置を固定しながら、バラストデバイス２５が収容体２１内にクランプされて収容されるようにする。このクランプ効果をさらに向上させるために、図１に示すように、バラストデバイス２５の内側の外皮内部面３５上に形成されたクランプウェブ３７がさらに設けられ、このクランプウェブは、外皮面３５上に円周方向に延長する。
【００２２】
本実施例の場合、互いに密接して配列された複数の軸方向延長ウェブストリップ３８が、収容体２１の周囲面３９上に設けられ、特に図３からわかるように、収容体２１上に包囲体２２を配置中にクランプ力を達成するために、この周囲面３９は、収容体の周囲面３９を覆う包囲外皮４０の内部面に対して静止するようになる。組み立てられた状態で、包囲外皮４０を有する包囲体２２は、特に、図４からわかるように、収容チェンバ２３の収容開口４１の境となる包囲体２２の包囲境界４２が、その底部エッジ４３で、収容開口４１の内部周縁４５上の環状肩部４４の上に静止する程度まで、収容体２１の上に押圧される。
【００２３】
また、図３に示すように、本実施例における包囲体２２は、包囲ディスク４６によって形成された基部を介して互いに接続された、一方が包囲外皮４０により、他方が包囲境界４２によるその足部が同一ではない長さを有するＵ字形の環状断面７５を有する環状スリーブとして成形される。包囲体２２を収容体２１上に配置または押圧するとき、また包囲境界４２の底部エッジ４３が肩部４４に静止した後、包囲体２２の弾性変形が、図３に示した組立力４７の方向に発生し、図５に示すように、包囲外皮４０の底部エッジ４８上に形成された締付けエッジ４９が、特に図１に示すように、収容体２１の周囲面３９上のセクションに円周方向に延長する締付けウェブ５０の後方に締付けられるまで、包囲外皮４０が包囲境界４２に平行に包囲ディスク４６のスプリング作用に対抗して変位するようになる。
【００２４】
収容体２１の内部にある破線で示されたティーライト５１を示す図３からとくにわかるように、包囲境界４２の高さｈsは、包囲境界の底部エッジ４３がティーライト５１によって覆われるように、寸法が定められる。この結果、ティーライト５１を有するろうそく立て２０は、外部からみるとき、単一部品で構成されたような印象を与える。さらに、包囲体２２が板金ブランクで製造されると、特に包囲ディスク４６の凸面の輪郭によって、ろうそく立て２０が頑丈に見え、かつこれにより高品質な外観が達成される。
【００２５】
図１１に示した積層体７２によって積層接触して配列された他のろうそく立て２０の隣接する輪郭を破線で示している図３からわかるように、センタリング延長部２８の外部センタリング直径ｄは、積層接触を生成するために、包囲境界４２の内部センタリング直径Ｄに対応して形成される。さらに、包囲ディスク４６の凸面は、積層基部２７の凹積層面３０にぴったり付く。
【００２６】
図６は、ビーカー５６が、収容体５３、包囲体５４、及びバラストデバイス５５に、さらにろうそく立て５２の追加の構成要素として提供されている点で、図１乃至図５で上述されたろうそく立て２０とは本質的に相違したろうそく立て５２を示している。
【００２７】
特に、図８及び図９からわかるように、ビーカーインサート５６は、外部に向かって半径方向に延長するフランジ形ビーカー周縁５７を有し、このビーカー周縁５７は、収容体５３の収容チェンバ６１内にビーカーインサート５６を確実に配列するために用いられる。このような趣旨で、ビーカーの周縁５７は、収容体５３の収容開口６０の内部周縁５９上の環状の円周方向に形成された肩部５８上に置かれ、これにより支持される。収容チェンバ６１内のビーカーインサート５６の半径方向に安定した位置配列は、収容チェンバ６１の内部面６２に対する軸方向に延びているクランプウェブ６３の相互作用によって達成され、このクランプウェブ６３は、ビーカーインサート５６が収容チェンバ６１内に配列されるとき、ろうそく立て５２の周囲面６４に対し静止する。
【００２８】
図８及び図９からわかるように、包囲体５４は、ビーカーの周縁５７に対して、その包囲境界６６の底部エッジ６５で軸方向に支持されており、上記で説明したように、次に肩部５８によって支持される。他の点で、図１０に示すように、収容体５３上の包囲体５４の安定した位置設定、締付け収容または配列は、ろうそく立て２０の収容体２１上の包囲体２２の配列と同一であり、包囲体５４の包囲外皮６８の底部エッジ６７上に形成された締付けエッジ６９は、収容体の周囲面７０上に形成された締付け肩部７１と締め付けられる。
【００２９】
他の点で、ろうそく立て５２の包囲体５４及び収容体５３の実施例は、ろうそく立て２０の包囲体２２及び収容体２１の実施例と本質的に同一であり、よって、これらは、図６乃至図１０において同一の図面符号で示す。
【００３０】
図８に示すように、収容チェンバ６１は、追加のビーカーインサート５６に起因して収容体５３の材料とは全く異なる表面デザインが提供される。収容体５３をプラスチックで形成することとは対照的に、ビーカーインサート５６は、包囲体５４に対応する板金ブランクで形成してよく、これにより、図３の場合のように、非金属表面領域を覆うためのろうそく立て２０に対して、収容チェンバ６１内にティーライト５１を配列する必要なく、収容チェンバ６１を含むろうそく立てに金属対応の高品質外観を与える。
【００３１】
図１１は、複数のろうそく立て２０または５２で形成された積層体７２を示しており、この積層体７２は、直立型基部７６上に配置されている。図３及び図８に示すように、積層基部２７の周囲周縁７３が包囲外皮４０または６８の底部エッジ４８または６７を超えて突出するという事実によって、陰影間隙７４が、図１１に示す積層体７２のそれぞれの２つの隣接したろうそく立て２０または５２間に形成される。この積層体において、積層基部２７の突出部によって形成された突起ｓは、積層基部２７に対してセンタリング延長部２８によって形成された突起ｚに対応して選択され、その結果、陰影間隙７４が図１１の直立型基部７６と積層体７２に配置された最下側ろうそく立て２０または５２の間のみならず、隣接したろうそく立て２０または５２の間に形成され、これは、積層体に美観的な構造を与える。
【図１】
2011507204.tif 000003
【図２】
2011507204.tif 000004
【図３】
2011507204.tif 000005
【図４】
2011507204.tif 000006
【図５】
2011507204.tif 000007
【図６】
2011507204.tif 000008
【図７】
2011507204.tif 000009
【図８】
2011507204.tif 000010
【図９】
2011507204.tif 000011
【図１０】
2011507204.tif 000012
【図１１】
2011507204.tif 000013
【国際調査報告】
2011507204.tif 000014
2011507204.tif 000015
2011507204.tif 000016
2011507204.tif 000017